(57)【要約】【課題】画像表示手段を備えなくとも他の通信装置との識別を、ネットワークを介して接続された制御端末の利用者が容易に行うことができるようにする。【解決手段】本発明の一態様によれば、ネットワークを介して接続された制御端末に、他の通信装置と識別するための識別画像を送信して表示させる通信装置であって、他の通信装置と識別するための音響を表す識別音響データを設定する識別音響データ設定部と、設定された前記識別音響データに対応し、前記他の通信装置と識別するための識別画像を設定する識別画像設定部と、設定された前記識別画像を前記ネットワークを介して前記制御端末に送信する識別画像送信部と、利用者からの再生指令を受けて、設定された前記識別音響データを再生する再生部と、を備えた通信装置が提供される。【選択図】図１
2008077343.tif 000002
【特許請求の範囲】
【請求項１】
ネットワークを介して接続された制御端末に、他の通信装置と識別するための識別画像を送信して表示させる通信装置であって、
他の通信装置と識別するための音響を表す識別音響データを設定する識別音響データ設定部と、
設定された前記識別音響データに対応し、前記他の通信装置と識別するための識別画像を設定する識別画像設定部と、
設定された前記識別画像を前記ネットワークを介して前記制御端末に送信する識別画像送信部と、
利用者からの再生指令を受けて、設定された前記識別音響データを再生する再生部と、
を備えたことを特徴とする通信装置。
【請求項２】
識別音響データと識別画像とを対応づけたテーブルを保持するテーブル保持部をさらに備え、
前記識別音響データ設定部は、前記テーブルから前記識別音響データを選択、設定し、
前記識別画像送信部は、前記テーブルにおいて前記選択された識別音響データに対応する識別画像を設定する、
ことを特徴とする請求項１に記載の通信装置。
【請求項３】
前記ネットワークを介して前記制御端末と通信するために必要な識別子を保持する識別子保持部をさらに備え、
前記識別音響データ設定部は、前記識別子の称呼の一部または全部を表した音響データを前記識別音響データとして設定する、
ことを特徴とする請求項１に記載の通信装置。
【請求項４】
前記識別画像設定部は、前記識別子を表す文字の一部または全部を表した識別画像を設定することを特徴とする請求項３に記載の通信装置。
【請求項５】
前記識別音響データまたは前記識別画像が他の通信装置と重複しているかどうかを検査し、重複している場合はその旨を表す音響データを前記再生部に送り再生させる重複検出部をさらに備えたことを特徴とする請求項１に記載の通信装置。
【請求項６】
前記制御端末から音響データを受信する音響データ受信部をさらに備え、
前記再生部は、前記音響データ受信部によって受信された前記音響データを再生することを特徴とする請求項１に記載の通信装置。
【請求項７】
前記再生部によって生成される再生信号から音を出力するスピーカをさらに備えたことを特徴とする請求項１ないし６のいずれか一項に記載の通信装置。
【請求項８】
前記制御端末から印刷データを受信する印刷データ受信部と、
受信された前記印刷データに基づきシートに印刷を行う印刷出力部と、
をさらに備えたことを特徴とする請求項１に記載の通信装置。
【請求項９】
ネットワークを介して接続された制御端末に、他の通信装置と識別するための識別画像を送信して表示させる通信装置において実行する方法であって、
他の通信装置と識別するための音響を表す識別音響データを設定し、
設定された前記識別音響データに対応し、前記他の通信装置と識別するための識別画像を設定し、
設定された前記識別画像を前記ネットワークを介して前記制御端末に送信し、
利用者からの再生指令を受けて、設定された前記識別音響データを再生する、
ことを特徴とする方法。
【請求項１０】
ネットワークを介して接続された制御端末に、他の通信装置と識別するための識別画像を送信して表示させるコンピュータに実行させる命令コードを記述したプログラムであって、
他の通信装置と識別するための音響を表す識別音響データを設定するためのモジュールと、
設定された前記識別音響データに対応し、前記他の通信装置と識別するための識別画像を設定するためのモジュールと、
設定された前記識別画像を前記ネットワークを介して前記制御端末に送信するためのモジュールと、
利用者からの再生指令を受けて、設定された前記識別音響データを再生するモジュールと、
を備えたことを特徴とするプログラム。
【発明の詳細な説明】
【技術分野】
【０００１】
本発明は、ネットワークを介して接続された制御端末に、他の通信装置と識別するための識別画像を送信して表示させる通信装置、方法およびプログラムに関する。
【背景技術】
【０００２】
従来の、ネットワークを介して制御可能な被制御装置としては、たとえば特許文献1に開示されているように、他の被制御装置と識別可能な画像を自身が備える表示部に表示するとともに、同識別可能な画像をネットワークを介して制御端末に送信し表示させるものがあった。これによれば、制御端末の利用者は、同制御端末に表示される識別画像と、各被制御装置に表示される識別画像との一致に基づき、複数の被制御装置を容易に識別することができた。
【０００３】
しかしながら、特許文献１に記載の技術は、被制御装置に画像表示手段がない場合には適用できず、また、被制御装置の画像表示能力（解像度、輝度、コントラスト、画面の大きさ）が低い場合には、識別が困難になる場合もあった。
【特許文献１】特開２００５−９９３５１公報
【発明の開示】
【発明が解決しようとする課題】
【０００４】
本発明は、画像表示手段を備えなくとも他の通信装置との識別を、ネットワークを介して接続された制御端末の利用者が容易に行うことができるようにした通信装置、方法およびプログラムを提供する。
【課題を解決するための手段】
【０００５】
本発明の一態様によれば、
ネットワークを介して接続された制御端末に、他の通信装置と識別するための識別画像を送信して表示させる通信装置であって、
他の通信装置と識別するための音響を表す識別音響データを設定する識別音響データ設定部と、
設定された前記識別音響データに対応し、前記他の通信装置と識別するための識別画像を設定する識別画像設定部と、
設定された前記識別画像を前記ネットワークを介して前記制御端末に送信する識別画像送信部と、
利用者からの再生指令を受けて、設定された前記識別音響データを再生する再生部と、
を備えた通信装置が提供される。
【０００６】
本発明の一態様によれば、
ネットワークを介して接続された制御端末に、他の通信装置と識別するための識別画像を送信して表示させる通信装置において実行する方法であって、
他の通信装置と識別するための音響を表す識別音響データを設定し、
設定された前記識別音響データに対応し、前記他の通信装置と識別するための識別画像を設定し、
設定された前記識別画像を前記ネットワークを介して前記制御端末に送信し、
利用者からの再生指令を受けて、設定された前記識別音響データを再生する、
ことを特徴とする方法が提供される。
【０００７】
本発明の一態様によれば、
ネットワークを介して接続された制御端末に、他の通信装置と識別するための識別画像を送信して表示させるコンピュータに実行させる命令コードを記述したプログラムであって、
他の通信装置と識別するための音響を表す識別音響データを設定するためのモジュールと、
設定された前記識別音響データに対応し、前記他の通信装置と識別するための識別画像を設定するためのモジュールと、
設定された前記識別画像を前記ネットワークを介して前記制御端末に送信するためのモジュールと、
利用者からの再生指令を受けて、設定された前記識別音響データを再生するモジュールと、
を備えたことを特徴とするプログラムが提供される。
【発明の効果】
【０００８】
本発明によれば、制御端末の利用者は、ネットワークを介して該制御端末に接続された複数の通信装置の識別を、これらの通信装置が画像表示手段を備えなくとも、容易に行うことができる。
【発明を実施するための最良の形態】
【０００９】
以下、本発明の実施形態について説明する。
【００１０】
（第１の実施形態）
図１は、本発明の第１の実施形態に係わる音響データ再生装置（通信装置）の構成を示すブロック図である。
【００１１】
この音響データ再生装置は、識別音響データ設定部１００、音響データ再生部１０１、識別画像設定部１０２、識別画像送信部１０３、音響データ受信部１０４、識別音響データ設定ボタン１０５、識別音響データ再生ボタン１０６を備えている。この音響データ再生装置はネットワークを介して制御端末に接続可能である。ネットワークには他の音響データ再生装置も接続される。
【００１２】
識別音響データ設定ボタン１０５は、管理者であるユーザ（以下、管理者という）により操作を行うためのボタンである。識別音響データ再生ボタン１０６は、利用者であるユーザ（以下、利用者という）により操作を行うためのボタンである。ただし、識別音響データ設定ボタン１０５および識別音響データ再生ボタン１０６の代わりに、音響データ再生装置と通信可能なリモコンを用いてもよい。リモコンは、指向性や到達距離の特性によって操作対象を特定できる無線方式を使用する。
【００１３】
識別音響データ設定部１００では、識別音響データ設定ボタン１０５が押されると、操作内容に応じて、他の音響データ再生装置と識別可能な識別音響を表す識別音響データを設定し、設定した識別音響データを音響データ再生部１０１および識別画像設定部１０２に送る。識別画像設定部１０２では、設定された識別音響データに基づいて識別画像を設定し、識別画像送信部１０３に送る。識別画像送信部１０３では、受け取った識別画像をネットワークを介して制御端末に送信する。一方、音響データ受信部１０４は、ネットワークを介して制御端末から音響データを受信し、受信した音響データを音響データ再生部１０１に送る。音響データ再生部１０１は、音響データ受信部１０４から受け取った音響データを再生する。また音響データ再生部１０１では、利用者による識別音響データ再生ボタン１０６の押下に応答して（利用者から再生指令を受けると）、識別音響データ設定部１００で設定された識別音響データを再生する。音響データ再生部１０１による再生処理により生成される再生信号（例えば電気信号）はスピーカを介して音として出力される。
【００１４】
図2には、音響データ再生装置２００とスピーカ２１０とを含むスピーカ装置２２０と、音響データ再生装置２０１とスピーカ２１１とを含むスピーカ装置２２１とがネットワーク２０３を介して制御端末２０２に接続されている例が示されている。音響データ再生装置２００、２０１は例えばＵＰｎＰTMAV Rendererデバイスの仕様にしたがって制御端末２０２に発見および制御され、制御端末２０２から音響データを受信し、再生する。
【００１５】
音響データ再生装置２００は、ネットワーク２０３を介して、識別画像２００−aを制御端末２０２に送信する。同様に、音響データ再生装置２０１は、ネットワーク２０３を介して、識別画像２０１−ａを制御端末２０２に送信する。制御端末２０２は音響データ再生装置２００および音響データ再生装置２０１から受信した識別画像（２００−ａ，２０１−ａ）をそれぞれ表示する。ここでは２００−ａはピアノの外観を表すアイコンを示し、２０１−ａはラッパの外観を表すアイコンを示す。制御端末２０２の利用者は、音響データ再生装置２００、２０１の識別音響データ再生ボタンを押して、それぞれの識別音響を聴く。ここではスピーカ装置２２０からはピアノの音２００−ｂが出力され、スピーカ装置２２１からはラッパの音２０１−ｂが出力される。これにより利用者は、制御端末２０２に表示された識別画像と、スピーカ装置２２０、２２１から出力された音との対応から、各音響データ再生装置（各スピーカ装置）を識別できる。利用者は、例えば、スピーカ装置２２０を用いて音楽を聴きたい場合は、制御端末２０２において音楽データをスピーカ装置２２０に対応する識別画像２００−ａにドラッグ・アンド・ドロップするなどして、当該音楽データを音響データ再生装置２００に送信する。音響データ再生装置２００はネットワーク２０３を介して制御端末２０２から音楽データを受信し、再生する。
【００１６】
図３（Ａ）〜図３（Ｄ）は、本発明の第１の実施形態に係わる音響データ再生装置の動作を詳細に説明するフローチャートである。
【００１７】
音響データ再生装置２００に備えられた識別音響データ設定部１００は、識別音響データ設定ボタン１０５が押されると（図３（Ａ）のＳ１１）、識別音響データを設定する（Ｓ１２）。具体的には、識別音響データ設定部１００は例えば図４に示すような識別データ対応表（テーブル）４０を保持したテーブル保持部を有し、管理者が識別音響データ設定ボタン１０５を押すと、識別データ対応表４０の１行目（識別データが「ピアノ」の行）が選択され、識別音響データとして、ピアノの音色の識別音響を表す識別音響データ４０−１ａが設定される。識別音響データ４０−１ａが設定されると、識別音響データ再生部１０１では、識別音響データ設定部１００から識別音響データ４０−１ａを受け取り、再生する（Ｓ１３）。このとき管理者は、音響データ再生装置２００によって再生されたピアノの音色を聴くことによって、音響データ再生装置２００の識別データとして「ピアノ」が選択されたことを認識する。またステップＳ１３に並行して、識別画像設定部１０２では、識別データ対応表４０のピアノの音色の識別音響データ４０−１ａに関連づけられたピアノの識別画像４０−１ｂを設定する（Ｓ１４）。ここで、識別画像４０−１ｂは、図４ではピアノの図柄で表現されているが、音響データ再生装置２００で再生される識別音響データ４０−１ａを聴くことにより、識別音響データ４０−１ａと対応づけて利用者がイメージ（連想）することが可能な画像、文字、記号などであればよく、例えば「ピアノ」というように、端的に識別データを示す文字列を含むものであってもよい。
【００１８】
音響データ再生装置２０１についても同様に、管理者が音響データ再生装置２０１の識別音響データ設定ボタン１０５を押すと（Ｓ１１）、識別データ対応表４０の１行目が選択され、さらに識別音響データ設定ボタン１０５をもう一度押すと、識別データ対応表４０の２行目（識別データが「ラッパ」の行）が選択され、この結果ラッパの音色の識別音響を表す識別音響データ４０−２ａが設定される（Ｓ１２）。管理者が識別音響データ設定ボタン１０５の押下を繰り返すことにより、識別データ対応表４０の各行の識別データが順に選択されていくが、識別データ対応表４０の最終行の識別データが選択された後に識別データ設定ボタン１０５が押下された場合には、例えば１行目の識別データを再度選択するようにすればよい。なお、管理者が識別音響データ設定ボタン105を一度も押していない、工場出荷時の状態では、識別データは識別データ対応表４０の例えば１行目が選択されていても良いし、未選択であっても良い。さて、識別音響データ４０−２ａが設定されると、識別音響データ再生部１０１では、識別音響データ設定部１００から識別音響データ４０−２ａを受け取り、再生する（Ｓ１３）。このとき管理者は、音響データ再生装置２０１によって再生されたラッパの音色を聴くことによって、音響データ再生装置２０１の識別データとして「ラッパ」が選択されたことを認識する。またステップＳ１３に並行して、識別画像設定部１０２では、識別データ対応表４０のラッパの音色の識別音響データ４０−２ａに対応するラッパの識別画像４０−２ｂを設定する（Ｓ１４）。
【００１９】
次に、利用者が制御端末２０２を操作して、制御端末２０２内に保持されている音楽データをネットワーク２０３を介して音響データ再生装置２００に再生させる手順を説明する。
【００２０】
利用者は制御端末２０２を操作して、ネットワーク２０３に接続されている装置の一覧を表示させる。音響データ再生装置２００はＵＰｎＰTMの通信手順に基いて制御端末２０２と通信し、制御端末２０から識別画像の送信要求を受信する（図３（Ｂ）のＳ２１）。識別画像の送信要求を受信した音響データ再生装置２００は、識別画像送信部１０３から識別画像４０−１ｂを送信する（Ｓ２２）。この際、識別データ「ピアノ」を表すデータも併せて送信してもよい。制御端末２０２の画面には、音響データ再生装置２００から送信されたピアノの識別画像４０−１ｂが表示され、利用者は識別データとして「ピアノ」が設定された機器がネットワーク２０３に接続されていることを認識する。
【００２１】
同様に、音響データ再生装置２０１はＵＰｎＰTMの通信手順に基いて制御端末２０２と通信し、制御端末２０から識別画像の送信要求を受信する（Ｓ２１）。識別画像の送信要求を受信した音響データ再生装置２００は、識別画像送信部１０３から識別画像４０−２ｂを送信する（Ｓ２２）。制御端末２０２の画面には、音響データ再生装置２００から送信されたピアノの識別画像４０−２ｂが表示され、利用者は識別データとして「ラッパ」が設定された機器がネットワーク２０３に接続されていることを認識する。
【００２２】
この時点では利用者はまだ、音響データ再生装置２００と、制御端末２０２の画面上に表示されたピアノの識別画像４０−１ｂとの対応関係を認識できていない。同様に利用者は、音響データ再生装置２０１と、制御端末２０２の画面上に表示されたラッパの識別画像４０−２ｂとの対応関係も認識できていない。
【００２３】
次に利用者は、音楽データの再生を行いたい音響データ再生装置２００のもとに歩いて移動し、識別音響データ再生ボタン１０６を押すと（図３（Ｃ）のＳ３１）、音響データ再生装置２００の音響データ再生部１０１が識別音響データ４０−１ａを再生する（Ｓ３２）。利用者はピアノの音色を聴くことによって、音響データ再生装置２００の識別データとして「ピアノ」が選択されていることを認識する。
【００２４】
次に利用者は、制御端末２０２のもとに戻り、所望の音楽データファイルをピアノの識別画像４０−１ａにドラッグ・アンド・ドロップする。制御端末２０２は、ＵＰｎＰTM ＡＶの通信手順に基づいて、識別画像４０−１ａに関連付けられた音響データ再生装置２００に対し、音楽データを送信する。音響データ再生装置２００は、制御端末２０２から送信された音楽データを音響データ受信部１０４において受信し（図３（Ｄ）のＳ４１）、音響データ再生部１０１で再生する（Ｓ４２）。
【００２５】
このように、第１の実施形態に係わる音響データ再生装置によれば、識別音響データを設定し、該識別音響データに対応する識別画像を制御端末に送信し表示させることにより、制御端末の利用者はネットワークを介して複数の音響データ再生装置を容易に識別することが可能となる。
【００２６】
本実施形態は、音響データ再生装置がホームネットワークの標準規格であるＵＰｎＰTMに基づいて動作する例を示したが、通信手順はＵＰｎＰTMに限定されるものではなく、独自の通信手順や他の標準規格を用いても良い。
【００２７】
（第２の実施形態）
第２の実施形態では、１台の音響データ再生装置が２台のスピーカに接続されたスピーカシステムの場合について説明する。図５は、本発明の第２の実施形態に係わる音響データ再生装置と、これに接続された２台のスピーカとを含むスピーカシステムの一例を示すブロック図である。
【００２８】
この第２の実施形態に係わる音響データ再生装置は、識別音響データ設定部５００、音響データ再生部５０１、識別画像設定部５０２、識別画像送信部５０３、音響データ受信部５０４、識別音響データ設定ボタン５０５、識別音響データ再生ボタン５０６を備えている。各部の動作は第１の実施形態と同様である。音響データ再生部５０１で生成されたアナログの音響信号（再生信号）は、銅線で接続された２台のスピーカ５１０、５１１に伝送され、該２台のスピーカ５１０、５１１によりそれぞれ音として空気中に再生される。
【００２９】
図６には、２つのスピーカシステム６３０、６３１がネットワーク６０３を介して制御端末６０２に接続される例が示される。スピーカシステム６３０は音響データ再生装置６００とスピーカ６１０、６１１とを含み、スピーカシステム６３１は音響データ再生装置６０１とスピーカ６２０、６２１とを含む。音響データ再生装置６００、６０１は例えばＵＰｎＰTM AV Rendererデバイスの仕様にしたがって制御端末６０２に発見、制御され、制御端末６０２から音響データを受信し、再生する。
【００３０】
音響データ再生装置の動作は第１の実施形態と同様であるが、管理者が音響データ再生装置６００の識別音響データ設定ボタンを押した際に再生される音は、音響データ再生装置６００に接続された２台のスピーカから出力される。また、音響データ再生装置６０１の音響データ再生ボタンを押した際に再生される音も同様に、音響データ再生装置６０１に接続された２台のスピーカから出力される。
【００３１】
（第３の実施形態）
第３の実施形態では、識別データがネットワーク通信に利用する識別番号（識別子）である場合について説明する。
【００３２】
図７には第３の実施形態に係わる音響データ再生装置７００および音響データ再生装置７０１が、ネットワーク７０３を介して、制御端末７０２に接続されている様子が示される。音響データ再生装置７００はスピーカ装置７２０にスピーカ７１０とともに組み込まれ、音響データ再生装置７０１はスピーカ装置７２１にスピーカ７１１とともに組み込まれている。音響データ再生装置７００、７０１の基本構成は第１の実施形態と同様であるが、識別音響データ設定部および識別画像設定部の処理が第１の実施形態と異なる。
【００３３】
以下、第１の実施形態で用いた図１、図３、図７を用いて、本発明の第３の実施形態に係わる音響データ再生装置の動作について説明する。
【００３４】
音響データ再生装置７００に備えられた識別音響データ設定部１００は、識別音響データ設定ボタン１０５が押されると（図３（Ａ）のＳ１１）、識別音響データを設定する（Ｓ１２）。具体的には、識別音響データ設定部１００は例えば音響データ再生装置７００に割り当てられたIPアドレス「１９２．１６８．０．１」（アドレス）とネットマスク「２５５．２５５．２５５．０」から、ネットワークアドレス部「１９２．１６８．０」を取り除いたホストアドレス部「１」を算出し、これを識別データとして決定する。ＩＰアドレスおよびネットマスクは識別子保持部に保持されている。「１」は、識別子を表す文字の一部に相当する。ここではアドレス（識別子）の一部が識別データとして決定されているが、アドレスの全部が識別データとして決定されてもよい。識別音響データ設定部１００は、「１」の読み（称呼）である「いち」という音響データを識別音響データとして設定する。識別音響データ「いち」の前後に説明を加えて「識別番号はいちです」としても良い。識別音響データ再生部１０１では、識別音響データ設定部１００から識別音響データ「いち」を受け取り、再生する（Ｓ１３）。このとき管理者は、音響データ再生装置７００によって再生された「いち」の音をスピーカ７１０から聴くことによって、音響データ再生装置７００の識別データとして「１」が選択されたことを認識する。またステップＳ１３に並行して、識別画像設定部１０２では、識別データ「１」を表す識別画像「＜１＞」を設定する（Ｓ１４）。
【００３５】
同様に、管理者が音響データ再生装置７０１の識別音響データ設定ボタン１０５を押すと（Ｓ１１）、音響データ再生装置７０１に備えられた識別音響データ設定部１００は、識別音響データを設定する（Ｓ１２）。具体的には、識別音響データ設定部１００は例えば音響データ再生装置７０１に割り当てられたIPアドレス「１９２．１６８．０．２」とネットマスク「２５５．２５５．２５５．０」から、ネットワークアドレス部「１９２．１６８．０」を取り除いたホストアドレス部「２」を算出し、これを識別データとして決定する。そして識別音響データ設定部１００は、「２」の読みである「に」という音響データを識別音響データとして設定する。識別音響データ再生部１０１では、識別音響データ設定部１００から識別音響データ「に」を受け取り、再生する（Ｓ１３）。このとき管理者は、音響データ再生装置７０１によって再生された「に」の音をスピーカ７１１から聴くことによって、音響データ再生装置７０１の識別データとして「２」が選択されたことを認識する。またステップＳ１３に並行して、識別画像設定部１０２では、識別データ「２」を表す識別画像「＜２＞」を設定する（Ｓ１４）。
【００３６】
ここで管理者が識別音響データ設定ボタン１０５の押下を繰り返すことにより、識別データとして設定される数値が１ずつ増加してもよい。識別データがホストアドレス部の最大値、例えば「２５４」に達した後に識別音響データ設定ボタン１０５が押下された場合には、識別データをホストアドレス部の最小値である「１」と設定してもよい。
【００３７】
次に、利用者が制御端末７０２を操作して、制御端末７０２内に保持されている音楽データをネットワーク７０３を介して音響データ再生装置７００で再生させる手順を説明する。
【００３８】
利用者は制御端末７０２を操作して、ネットワーク７０３に接続されている装置の一覧を表示させる。音響データ再生装置７００はＵＰｎＰTMの通信手順に基いて制御端末７０２と通信し、識別画像の送信要求を受け取る（図３（Ｂ）のＳ２１）。識別画像の送信要求を受け取った音響データ再生装置７００は、識別画像送信部１０３から識別画像「＜１＞」を送信する（Ｓ２２）。制御端末７０２の画面には、音響データ再生装置７００から送信された識別画像「＜１＞」が表示され、利用者は識別データとして「１」が設定された機器がネットワーク７０３に接続されていることを認識する。
【００３９】
同様に、音響データ再生装置７０１はＵＰｎＰTMの通信手順に基いて制御端末７０２と通信し、識別画像の送信要求を受け取る（Ｓ２１）。識別画像の送信要求を受け取った音響データ再生装置７０１は、識別画像送信部１０３から識別画像「＜２＞」を送信する（Ｓ２２）。制御端末７０２の画面には、音響データ再生装置７０１から送信された識別画像「＜２＞」が表示され、利用者は識別データとして「２」が設定された機器がネットワーク７０３に接続されていることを認識する。
【００４０】
この時点では利用者はまだ、音響データ再生装置７００と、制御端末７０２の画面上に表示された識別画像「＜１＞」との対応関係を認識できていない。同様に利用者は、音響データ再生装置７０１と、制御端末７０２の画面上に表示された識別画像「＜２＞」との対応関係も認識できていない。
【００４１】
次に利用者は、音楽データを再生したい音響データ再生装置７００のもとに移動し、識別音響データ再生ボタン１０６を押すと（図３（Ｃ）のＳ３１）、音響データ再生装置７００の音響データ再生部１０１が識別音響データ「いち」を再生する（Ｓ３２）。利用者は「いち」という音声を聴くことによって、音響データ再生装置７００の識別データとして「１」が設定されていることを認識する。
【００４２】
次に利用者は、制御端末７０２のもとに戻り、所望の音楽データファイルを識別画像「＜１＞」にドラッグ・アンド・ドロップする。制御端末７０２は、ＵＰｎＰTM ＡＶの通信手順に基づいて、識別画像「＜１＞」に関連付けられた音響データ再生装置７００に対し、音楽データを送信する。音響データ再生装置７００は、制御端末７０２から送信された音楽データを音響データ受信部１０４で受信し（図３（Ｄ）のＳ４１）、音響データ再生部１０１で再生する（Ｓ４２）。
【００４３】
（第４の実施形態）
図１０は、本発明の第４の実施形態に係わる音響データ再生装置の構成を示すブロック図である。
【００４４】
この音響データ再生装置は、識別音響データ設定部１０００、音響データ再生部１００１、識別画像設定部１００２、識別画像送信部１００３、音響データ受信部１００４、識別音響データ設定ボタン１００５、識別音響データ再生ボタン１００６、重複検出部１００７を備える。要素１０００〜１００６は図１における同一名称の要素と同一の機能を有するためこれらの説明は省略する。
【００４５】
重複検出部１００７は、他の音響データ再生装置との間での識別データの重複を検出する機能を有する。重複検出部１００７は識別データの重複を検出すると、その旨を表す音響データを生成し、音響データ再生部１００１に送る。音響データ再生部１００１は、渡された音響データを再生し、再生信号がスピーカを介して空気中に音声として出力される。この音声を聴いた管理者は識別データが他の音響データ再生装置と重複していることを認識し、管理者は識別音響データ設定ボタン１００５を用いて再度、識別データの設定（識別音響データおよび識別画像の設定）を行う。
【００４６】
重複検出部１００７の具体的な重複検出としては、例えば、ネットワーク越しの制御端末から識別データが重複していること、あるいは識別画像が重複していることを通知する重複通知を受信することにより行ってもよい。この場合、制御端末は各音響データ再生装置から受信した識別画像または識別データをもとに重複が発生していないかどうかを検査し、重複が発生した場合は、最後に識別画像または識別データを受信した音響データ再生装置に対して重複通知を行う。
【００４７】
または、重複検出部１００７は、他の音響データ再生装置から識別データ、識別画像または識別音響データを収集し、他の音響データ再生装置から収集した情報を用いて重複を検出するようにしてもよい。また、重複検出部１００７は他の音響データ再生装置と重複する識別データについてはあらかじめ選択を行うことができないように識別音響データ設定部１０００、識別画像設定部１００２を制御してもよい。
【００４８】
（第５の実施形態）
第５の実施形態は、第１〜４の実施の形態の音響データ再生装置における、ネットワークを介して音響データを受信する音響データ受信部に代えて、印刷データを受信しシートに印刷する印刷機能（印刷データ受信部および印刷出力部）を追加した場合について説明する。
【００４９】
図８は、本発明の第５の実施形態に係わるプリンタ装置（通信装置）を示すブロック図である。
【００５０】
この第５の実施形態に係わるプリンタ装置は、識別音響データ設定部８００、音響データ再生部８０１、識別画像設定部８０２、識別画像送信部８０３、印刷データ受信部８０４、識別音響データ設定ボタン８０５、識別音響データ再生ボタン８０６、印刷出力部８０７を備えている。図９にスピーカ９１０を搭載したプリンタ装置９００と、スピーカ９１１を搭載したプリンタ装置９０１とが、ネットワーク９０３を介して制御端末９０２に接続されている例が示される。
【００５１】
プリンタ装置における印刷データ受信部８０４はネットワーク９０３を介して制御端末９０２から印刷データを受信する。印刷出力部８０７は、受信した印刷データを紙に印刷する。紙はシートの一例に相当する。他の要素の動作は第３の実施形態と同様であるためこれらの詳細な説明は省略する。
【００５２】
このように、音響データ再生を主目的とした装置以外でも、音響データ再生能力を有する装置であれば本発明が有効に適用できる。
【００５３】
なお、第１〜第５の実施の形態に係わる通信装置（音響データ再生装置、プリンタ装置）は、例えば、汎用のコンピュータ装置を基本ハードウェアとして用いることでも実現することが可能である。すなわち、識別音響データ設定部、音響データ再生部、識別画像設定部および識別画像送信部は、上記のコンピュータ装置に搭載されたプロセッサにプログラムを実行させることにより実現することができる。このとき、音響データ再生装置およびプリンタ装置は、上記のプログラムをコンピュータ装置にあらかじめインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。また、テーブル保持部および識別子保持部は、上記のコンピュータ装置に内蔵あるいは外付けされたメモリ、ハードディスクもしくはＣＤ−Ｒ、ＣＤ−ＲＷ、ＤＶＤ−ＲＡＭ、ＤＶＤ−Ｒなどの記憶媒体などを適宜利用して実現することができる。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５５】
【図１】本発明の第１の実施形態に係わる音響データ再生装置の構成を示すブロック図。
【図２】本発明の第１の実施形態に係わる音響データ再生装置がネットワークを介して制御端末に接続された例を示す図。
【図３】本発明の第１の実施形態の動作を示すフローチャート。
【図４】識別データ対応表の例を示す図。
【図５】本発明の第２の実施形態に係わる音響データ再生装置と、これに接続された２台のスピーカとを示す図。
【図６】２つのスピーカシステムがネットワークを介して制御端末に接続された例を示す図。
【図７】本発明の第３の実施形態に係わる音響データ再生装置がネットワークを介して制御端末に接続された例を示す図。
【図８】本発明の第５の実施形態に係わるプリンタ装置を示すブロック図である。
【図９】スピーカを組み込んだプリンタ装置がネットワークを介して制御端末に接続された例を示す図。
【図１０】本発明の第４の実施形態に係わる音響データ再生装置の構成を示すブロック図。
【符号の説明】
【００５６】
１００、５００、８００、１０００・・・識別音響データ設定部
１０１、５０１、８０１、１００１・・・音響データ再生部
１０２、５０２、８０２、１００２・・・識別画像設定部
１０３、５０３、８０３、１００３・・・識別画像送信部
１０４、５０４、１００４・・・音響データ受信部
１０５、５０５、１００５・・・識別音響データ設定ボタン
１０６、５０６、１００６・・・識別音響データ再生ボタン
２００、２０１、６００、６０１、７００、７０１・・・音響データ再生装置（通信装置）
９００、９０１：プリンタ装置（通信装置）
２０２、６０２、７０２、９０２・・・制御端末
２０３、６０３、７０３、９０３・・・ネットワーク
２１０、２１１、９１０、９１１・・・スピーカ
２２０、２２１、７２０、７２１・・・スピーカ装置
８０６・・・印刷データ受信部
８０７・・・印刷出力部
Ｓ１１・・・識別音響データ設定ボタン押下
Ｓ１２・・・識別音響データ設定
Ｓ１３・・・識別音響データ再生
Ｓ１４・・・識別画像設定
Ｓ２１・・・識別画像送信要求
Ｓ２２・・・識別画像送信
Ｓ３１・・・識別音響データ再生ボタン押下
Ｓ３２・・・識別音響データ再生
Ｓ４１・・・音響データ受信
Ｓ４２・・・音響データ再生
４０・・・識別データ対応表
４０−１ａ・・・ピアノの音色の識別音響データ
４０−１ｂ・・・ピアノの図柄の識別画像
４０−２ａ・・・ラッパの音色の識別音響データ
４０−２ｂ・・・ラッパの図柄の識別画像
４０−３ａ・・・ドラムの音色の識別音響データ
４０−３ｂ・・・ドラムの図柄の識別画像
【図１】
2008077343.tif 000003
【図２】
2008077343.tif 000004
【図３】
2008077343.tif 000005
【図４】
2008077343.tif 000006
【図５】
2008077343.tif 000007
【図６】
2008077343.tif 000008
【図７】
2008077343.tif 000009
【図８】
2008077343.tif 000010
【図９】
2008077343.tif 000011
【図１０】
2008077343.tif 000012